【事件の表示】
　特許第３１８３７６８号「汚水浄化装置」の請求項１、２に係る特許に対する特許異議の申立てについて、次のとおり決定する。
【結　論】
　訂正を認める。
　特許第３１８３７６８号の請求項１ないし２に係る特許を維持する。
【理　由】
１．手続の経緯
　本件特許第３１８３７６８号の請求項１及び２に係る発明についての出願は、平成６年２月２８日に特許出願され、平成１３年４月２７日にその特許権の設定登録がなされたものである。
　これに対して、井上盛夫より特許異議の申立てがなされ、取消理由通知がなされ、その指定期間内の平成１４年８月６日付けで訂正請求がなされたものである。
２．訂正の適否
２−１．訂正の内容
　本件訂正請求の内容は、本件特許明細書を訂正請求書に添付された訂正明細書のとおり、すなわち次の訂正事項ａ及びｂのとおりに訂正するものである。
（１）訂正事項ａ：請求項１の「下方に」を「下方の前記土壌中に」と、また「通気層」を「面状に拡がる通気層」とそれぞれ訂正する。
（２）訂正事項ｂ：明細書の段落【０００６】の「下方に」を「下方の前記土壌中に」と、また「通気層」を「面状に拡がる通気層」とそれぞれ訂正する。
２−２．訂正の目的の適否、新規事項の有無及び拡張・変更の存否
　上記訂正事項ａは、請求項１に「の前記土壌中」と「面状に拡がる」とを追加して技術的に限定するものであるから、特許請求の範囲の減縮に該当する。
　また、上記訂正事項ｂは、特許請求の範囲の減縮に伴って明細書の記載を請求項１の内容と整合させるものであるから、明りょうでない記載の釈明に該当する。
　そして、上記訂正事項ａ及びｂは、いずれも願書に添付した明細書又は図面に記載した事項の範囲内においてなされたものであるから新規事項の追加に該当せず、また実質上特許請求の範囲を拡張し又は変更するものでもない。
２−３．まとめ
　したがって、上記訂正は、平成６年改正法附則第６条第１項の規定によりなお従前の例によるとされる、特許法第１２０条の４第３項において準用する平成６年改正法による改正前の特許法第１２６条第１項ただし書、第２項の規定に適合するので、当該訂正を認める。
３．本件訂正発明
　上記訂正は、これを認容することができるから、本件訂正後の請求項１及び２に係る発明（以下、「本件訂正発明１及び２」という）は、訂正明細書の特許請求の範囲の請求項１及び２に記載された事項により特定される次のとおりのものである。
「【請求項１】周囲に礫状材を充填した汚水供給用多孔管をトレンチ上に配置し、このトレンチを通気性、保水性が良好で好気性菌の繁殖に適した土壌中に埋設し、前記トレンチの下方の前記土壌中に多孔質材から成る面状に拡がる通気層を設け、この通気層と外気を吸排気管で連通し、この通気層の下方で集水するようにした汚水浄化装置。
【請求項２】前記通気層の上面を多孔性シートで被覆した請求項１に記載の汚水浄化装置。」
４．特許異議申立てについて
４−１．特許異議申立ての理由
　特許異議申立人は、証拠方法として、甲第１号証乃至甲第５号証を提出して、次のとおり主張している。
（１）訂正前の本件請求項１及び２に係る発明は、甲第１号証乃至甲第４号証に記載された発明に基づいて当業者が容易に発明をすることができたものであるから、本件発明についての特許は、特許法第２９条第２項に違反してなされたものである。
（２）訂正前の本件請求項１及び２に係る発明は、先願明細書（甲第５号証：特開平７−２１４０８５号公報）に記載された発明であるから、特許法第２９条の２の規定に違反してなされたものである。
（３）平成１３年２月１９日付け補正は、少なくとも段落【０００８】を「一方、土壌は通気性、保水性が良好であるため、好気性菌の繁殖に適しており、さらにトレンチの下方に外気に通じる通気層を設けることによって面状に拡がりを持たせることができるため、吸排気が広い範囲で良好に行なわれ、・・・」及び段落【００１２】を「前記トレンチ２の下方の土壌１中には、軽石などの多孔質材を充填した通気層６が設けられ、面状に拡がりを持たせることができるようになっている。・・・」と補正するものであるが、この補正の「面状に拡がりを持たせることができる」及び「吸排気が広い範囲で」という事項は、当初の明細書又は図面には記載されていないから、平成１３年２月１９日付け補正は、願書に添付した明細書及び図面に記載した事項の範囲内においてなされたものではない。
４−２．証拠の記載内容
　特許異議申立人が提出した上記甲第１号証乃至甲第５号証には、それぞれ次の事項が記載されている。
（１）甲第１号証：特開昭５０−４２６７２号公報
（ａ）「自然土壌層の下方に浄化砂層を設け、その下方に外気の流通を許す空気流通空間を設けると共に、上記空間内に流下汚水と空気との接触を良好にするために充填材を配置し、上記浄化砂層中に被処理汚水を供給するようにして成ることを特徴とする汚水浄化装置。」（第１頁左欄特許請求の範囲の項）
（ｂ）「つぎに、上記浄化砂層６の表面に前記と同様のスダレ状被覆７を介して、その上に例えば第４図に示すように、空間形成用コンクリート構造材８が整列して配置されている。この構造体８はその上下壁面９に汚水の流下を許す数個の小孔１０が設けられ、この内部には例えばポリ塩化ビニル、・・・からなる小片、小塊、多孔質構造体などの・・・各種成形品からなる充填材１１が詰め込まれており、この構造体８および充填材からなる帯域はその上方から流下する処理汚水がこの帯域を通過する間に、空気との接触をできるだけ良好なものとなるようにして、汚水中に残存する有機物の浄化分解を促進させるのに効果がある。」（第２頁右上欄第２行乃至第１６行）
（ｃ）「この汚水供給設備は上記浄化砂層１４中の一定の高さに第１図に示すように一定の間隔をもって配列した皿板１５と、この皿板上に配設された数本の分水管１６とからなり、この分水管１６には各皿板１５上に被処理汚水を供給するべく小孔が窄設され、さらに各皿板１５上には上記分水管１６を被うようにして浄化礫１８を盛り上げその表面に通水性の被覆１９が置かれている。」（第２頁左下欄第３行乃至第１１行）
（２）甲第２号証：特開平５−１８５０７６号公報
（ａ）「本発明は、し尿、生活廃水、工業廃水等の汚水を土壌に浸透させ、同汚水を土壌中の微生物の浄化作用によって処理・処分するための土壌トレンチに関し、特に浸潤マットを使用した土壌トレンチに係るものである。」（段落【０００１】）
（ｂ）「請求項１記載の浸潤マット式土壌トレンチにおいて、散水管から滲出する汚水は、浸潤マットを浸潤して微生物の活性の高い土壌表層部に拡散する。このとき、浸潤マットに含まれた多孔質珪酸カルシウム水和物、キト酸及び炭が次のように作用するため、汚水の流入開始時から汚水の浄化能が高く、また、長期間使用しても目詰りが少なく浄化能が持続するとともに、汚水の拡散が良く浄化能が向上する。」（段落【００１２】）
（ｃ）「次に、請求項４記載の浸潤マット式土壌トレンチによれば、次のような作用が相される。すなわち、従来技術は、好気性微生物を活性化するために、土中の酸素をサイフォンで通気性土壌に送るようにしているが、そもそも土中の酸素量は少なく、目詰り等もあり、好気性微生物を活性化することには覚束がない。これに対し、浸潤マット内に少なくとも１本の給気管を挿通することにより、大気中の酸素を直接的にかつ持続的に取り込むことになるから、好気状態を良好に持続することができ、微生物を活性化することにより、目詰りを起こりにくくし、浄化能を非常に高くすることができる。」（段落【００１７】）
（ｄ）「本実施例の浸潤マット式土壌トレンチ１においては、大地に幅１〜３ｍ、深さ１〜２ｍ、長さ２〜１５０ｍ程度のトレンチ溝２が掘られている。このトレンチ溝２の底部には集水管３が配設されるととともに、砂利とゼオライトとの混合物よりなる砂利ゼオライト層４が形成されている。
　砂利ゼオライト層４の上には、現場で掘られた土壌にケイ酸質土壌活性肥料が混合された通気性土壌よりなる通気性土壌下層部５が形成されている。」（段落【００１８】及び段落【００１９】）
（ｅ）「多孔質珪酸カルシウム水和物層６の上には、通気性土壌下層部５と同様の通気性土壌よりなる通気性土壌中層部７が形成されている。通気性土壌中層部７の上には、キト酸木炭層８が形成されている。このキト酸木炭は、木炭の粉粒体をキト酸で造粒して作ったものであり、粒径は２〜４ｍｍである。キト酸木炭層８の上には、通気性土壌下層部５と同様の通気性土壌が地表まで埋め戻されて通気性土壌表層部９が形成されている。
　さて、通気性土壌表層部９の途中深さには、浸潤マット１１と、その幅方向中央部の下方に設けられた散水管１２と、その下方に設けられ散水管１２の下部と浸潤マット１１の幅方向両縁部とを支持する台座１３とからなる汚水処理資材１０が配設されている。」（段落【００２１】及び（段落【００２２】）
（ｆ）「次に、請求項３記載の浸潤マット式土壌トレンチによれば、前記の通り、散水管→浸潤マット→土壌表層部の順に拡散して徐々に浄化された汚水が、土壌下層部に降りるときに、浸潤マットより下方の土壌に設けた多孔質珪酸カルシウム水和物、キト酸、炭又はゼオライトを通過するため、汚水の浄化能がさらに向上する。ここで、多孔質珪酸カルシウム水和物、キト酸及び炭の作用は、前記浸潤マットにおけるそれと同様である。また、ゼオライトは、アンモニア、カリ等の無機イオン（陽イオン）を吸着除去するとともに、悪臭成分や着色成分を吸着除去する作用がある。」（段落【００１６】）
（３）甲第３号証：特開昭５０−１９２５６号公報
（ａ）「この発明は細粒層中に廃水を散水しながら供給して、細粒層中の微生物を利用して浄化する廃水処理装置の改良発明である。」（第１頁左欄第１０行乃至第１２行）
（ｂ）「特に層６は、細粒からなる層５全体を好気的条件に維持するための重要な層である。すなわち、この粗粒からなる層６には、微生物の浄化に必要な酸素を供給する送気管７および排気管８が接続されている。従って空気は・・・各薄層５へ平均に導入され、かつ・・・排ガスが平均に排出されることなるので、空気の片流れが是正され、・・・全体を好気的条件に維持することが可能となる。」（第２頁左下欄第１２行乃至右下欄第３行）
（４）甲第４号証：特開昭５４−１３３７５７号公報
「通気室層（４）は土中の微生物の作用を受けず腐蝕しない周知の部材にて中空板状（第１図、第３図）又は平板を架橋して形成した一定の通気空間形態（第４図）又は断面略波形状（第５図、第６図）又はこれらに類する種々の形態に構成し、且つその表面には土壌層（３）への給気手段であり同時に清浄水（イ’）、半清浄水の流通孔（４ａ）を無数形成すると共にこの通気室層（４）における対角位置の隅部には外気との連通手段である連通管（８）（８）を接続せしめる。
　そして通気室層（４）は・・・外気の流通系路を構成し、常時外気を流通孔（４ａ）を通じて上下の土壌層（３）に給気して好気性状態を維持保障し得るように形成する。」（第２頁左上欄第１４行乃至右上欄第８行）
（５）甲第５号証：先願明細書（特開平７−２１４０８５号公報）
（ａ）「【請求項１】土壌中に散水管を埋設すると共に、この散水管の周囲に孔隙率の高い拡散層を配設し、散水管に供給した汚水を拡散層を介して周囲の土壌に拡散浸潤させて浄化処理を行なう汚水の土壌浸潤処理方法において、拡散層との境界部分近辺における土壌中の酸化還元電位を監視し、その値が基準値以下になった場合に酸化還元電位を所定値に戻す範囲で酸素を供給するようにしたことを特徴とする汚水の土壌浸潤処理方法。」（特許請求の範囲の欄）
（ｂ）「そして、これらに共通する嫌気的状態は特に微生物の資化となる汚水に最初に曝される、つまりＢＯＤなどの濃度が最も高い状態の汚水に曝される浸潤層との境界部分近辺における土壌中において微生物が大量に増殖して酸素を過度に消費することによりもたらされること、従って主に浸潤層との境界部分近辺の土壌に一定以上の嫌気的状態を生じないように管理するだけで、目詰まりの発生を有効に防止できて装置の耐用期間を長くすることができるということを見出し得た。」（段落【００１０】）
（ｃ）「従って、本発明による土壌浸潤処理方法は、浸潤層との境界部分近辺における土壌中の酸化還元電位をＥｈ計などを用いて監視し、この値が基準値、具体的には１００ｍＶ以下になった場合に浸潤層との境界部分近辺の土壌に対し重点的に酸素を供給して当該部位の酸化還元電位を例えば１５０〜３００ｍＶ程度の所定値に戻すようにしてなっている。」（段落【００１１】）
（ｄ）「本実施例における土壌浸潤処理装置は、図１に示すように、深さ約１ｍ、幅約２ｍで掘ったトレンチ溝１内に形成される。その具体的な構造は、トレンチ溝１の底から順に砂利層２、下部土壌層３、ろ材層４、浸潤部５、上部土壌層６を積層してなっており、トレンチ溝１の内側には防水シート７を張りめぐらしてある。
 砂利層２は、砂利と礫状のゼオライトの混合物を１０ｃｍ程度の厚さに充填して形成され、その中央部には浄化済水を集めて取り出すための集水管８が埋設されている。」（段落【００２２】及び【００２３】）
（ｅ）「浸潤部５は、ろ材層４の中央部を二分する状態で下部土壌層３の一部を盛り上げて形成した土台部３ｄに支持させて配設した散水管５ｐと、約１０ｃｍの厚さで散水管５ｐの上部を半円形に覆いつつ左右にトレンチ溝１の幅の１／４程度まで伸びるように配設した拡散層用の浸潤マット５ｍにより形成されている。浸潤マット５ｍは、ポリエステル糸で織った布を袋状にしその中に前記多孔質ケイ酸カルシウム水和物やキトサン処理した木炭、及びモミガラクン炭を所定の割合で混合したものを充填して形成されている。また、浸潤マット５ｍの各側端部には長さ方向で通気管９が通されている。」（段落【００２６】）
（ｆ）「以上の土壌浸潤処理装置による浄化処理は以下のようにしてなされる。散水管５ｐに汚水を供給すると、この汚水は、散水管５ｐから浸潤マット５ｍに流れ出す。ここで、この汚水の供給に伴って過剰な空気が散水管５ｐや浸潤マット５ｍから押し出されることになるが、この空気は浸潤マット５ｍの通気管９を介して外部に排気される。浸潤マット５ｍに流れ出した汚水は、さらに浸潤マット５ｍから上下各土壌層３、６、特に上部土壌層６に向けて毛管浸潤で拡散し、そこで浄化作用を受けて浄化され、最終的には砂利層２から集水管８に集まって来る。」（段落【００２７】）
４−３．当審の判断
（１）上記主張（１）について
（ｉ）本件訂正発明１について　
　甲第１号証の上記（ａ）には、「自然土壌層の下方に浄化砂層を設け、その下方に外気の流通を許す空気流通空間を設けると共に、上記空間内に流下汚水と空気との接触を良好にするために充填材を配置し、上記浄化砂層中に被処理汚水を供給するようにして成ることを特徴とする汚水浄化装置。」と記載されているが、この汚水浄化装置における「空気流通空間」は、地表面上で外気と通じるように配置されたものであるから、本件訂正発明１の「通気層」の如く「土壌中」に埋設されたものではない。また、この「空気流通空間」の機能は、上記（ｂ）の「この構造体８および充填材からなる帯域はその上方から流下する処理汚水がこの帯域を通過する間に、空気との接触をできるだけ良好なものとなるようにして、汚水中に残存する有機物の浄化分解を促進させるのに効果がある。」という記載によれば、流下する処理汚水と空気とをこの空間で接触させること、そして汚水中に残存する有機物の浄化分解を促進させることであるが、これに対し、本件訂正発明１の「通気層」の機能は、本件特許明細書の「一方、土壌は通気性、保水性が良好であるため、好気性菌の繁殖に適しており、さらにトレンチの下方に外気に通じる通気層を設けることによって面状に拡がりを持たせることができるため、吸排気が広い範囲で良好に行なわれ、好気性菌は土壌の深部までよく繁殖し、浄化作用が高められ、分解後のガスも速やかに排出される。」（段落【０００８】等の記載によれば、通気性の土壌に空気を供給して土壌中の好気性菌を繁殖させることであるから、両者は、その構造や機能の点で相違していることが明らかである。
　してみると、甲第１号証には、本件訂正発明１の上記「通気層」について示唆されていないと云うべきである。また、甲第１号証の「空気流通空間」は、そもそも地表面上で外気と通じるように設けられることにより処理汚水と空気との接触がこの空間で確保されるものであるから、これを「土壌中」に埋設する動機付けが甲第１号証の記載に示唆されているとも云えない。
　次に、甲第２号証について検討すると、甲第２号証には、土壌中にトレンチが埋設された「し尿処理装置」が記載されているが、この「し尿処理装置」における土壌中への空気の供給は、上記（ｃ）や図１の記載によれば、トレンチの浸潤マット内に設けられた「少なくとも１本の給気管」によってなされており、本件訂正発明１の如く、トレンチの下方に設けられた通気層と連通する「吸排気管」によってなされているものではない。また、甲第２号証に記載されたこの「し尿処理装置」の具体例では、通気性土壌層中に多孔質珪酸カルシウム水和物層６やキト酸木炭層８が形成されているが、これら層は、上記（ｆ）の「浸潤マットより下方の土壌に設けた多孔質珪酸カルシウム水和物、キト酸、炭又はゼオライトを通過するため、汚水の浄化能がさらに向上する。」という記載によれば、もっぱら「汚水の浄化能の向上」のために設けられているものであり、土壌中の好気性菌へ大気中の酸素を供給するためのものではない。そして、甲第２号証の「し尿処理装置」では、既にトレンチの下方の通気性土壌に大気中の酸素を供給するためにトレンチの上方に「給気管」が設けられているから、これとは別個にトレンチの下方に給気管を設ける必要はなく、したがって本件訂正発明１の如き「吸排気管」やこれと連通する「通気層」を設ける動機付けが甲第２号証の記載に示唆されているとも云えない。
　この点に関し、特許異議申立人は、甲第２号証の「多孔質珪酸カルシウム水和物層６」は、本件訂正発明１の「面状に拡がる通気層」に相当すると主張しているが、この層は、上述したとおり、土壌中に酸素を供給するために設けられたものではない。また、上記「多孔質珪酸カルシウム水和物層６」を実質的な「通気層」とみた場合でも、甲第２号証の「し尿処理装置」では、酸素を供給するための「給気管」が既にトレンチの上方に設けられているのであるから、トレンチの下方に給気管を別個に設ける必要はなく、したがって、この「多孔質珪酸カルシウム水和物層６」が通気層であるとしても、この層に別個に給気管を連通させる必要性も生じない。
 　以上のとおりであるから、本件訂正発明１の「前記トレンチの下方の前記土壌中に多孔質材から成る面状に拡がる通気層を設け、この通気層と外気を吸排気管で連通し、」の点は、甲第１号証及び甲第２号証には記載されていないし、またこの構成を容易に導くことができるような動機付けが示唆されているとも云えない。
　また、その余の甲第３号証及び甲第４号証についても検討すると、甲第３号証及び甲第４号証には、給・排気管が設けられた通気層が記載されているだけであり、甲第１号証及び甲第２号証に記載の「汚水処理装置」との関係について何ら記載がない。
　してみると、本件訂正発明１は、甲第１号証又は甲第２号証と甲第３号証及び甲第４号証に記載の発明から当業者が容易に想到することができたとすることはできない。
　したがって、本件訂正発明１は、甲第１号証乃至甲第４号証に記載された発明に基づいて当業者が容易に発明をすることができたものであるとすることができない。
（ｉｉ）本件訂正発明２について
　この発明は、請求項１を引用してなるものであるから、本件訂正発明１についての上記理由と同様、甲第１号証乃至甲第４号証に記載された発明に基づいて当業者が容易に発明をすることができたものであるとすることができない。
　したがって、特許異議申立人の上記主張（１）は採用することができない。
（２）上記主張（２）について
（ｉ）本件訂正発明１について
　先願明細書に記載の「土壌湿潤処理方法及び装置」は、上記（ｂ）によれば、濃度が最も高い状態の汚水に曝される浸潤層との境界部分近辺における土壌中の目詰まりを防止するためのものであり、そのために、先願明細書の具体例では、通気管が散水管の周囲に配設された湿潤マット（拡散層）に連通されており（上記（ｅ）及び図１参照）、この「土壌湿潤処理装置」全体がトレンチ溝内に形成されているから、その湿潤マットもトレンチの上方に設けられたものである。
　そうすると、先願明細書に記載の発明は、その通気管（吸排気管に相当）や湿潤マット（通気層に相当）が散水管（汚水供給用多孔管に相当）及びトレンチの上方に配設されたものであるから、これらがトレンチや汚水供給用多孔管の下方の土壌中に設けられた本件訂正発明１とは、その構成が明らかに相違していると云える。
　してみると、本件訂正発明１は、上記先願明細書に記載された発明であるとすることができない。
（ｉｉ）本件訂正発明２について
　この発明は、請求項１を引用してなるものであるから、本件訂正発明１についての上記理由と同様、先願明細書に記載された発明であるとすることができない。
　したがって、特許異議申立人の上記主張（２）も採用することができない。
（３）上記主張（３）（補正による新規事項の追加）について
　補正事項の「面状に拡がりを持たせることができるため」については、当初の明細書又は図面のうち、特に図２によれば、出願時の請求項１及び２に係る発明の「通気層」が土壌１の面積分に相当する広がりで上下の土壌１間に設けられていることは明らかであるから、新規事項ではないと云える。また「吸排気が広い範囲で」についても、当初の明細書の段落【０００８】には、この「通気層」では、吸排気が行われると記載されており、吸排気管によって面状に拡がる通気層に空気を供給すれば、「吸排気が広い範囲で」良好に行なわれることは明らかであるから、この補正事項も新規事項ではないと云える。
　したがって、特許異議申立人の補正に関する上記主張（３）も採用することができない。
５．むすび
　以上のとおり、特許異議申立ての理由及び証拠方法によっては、本件訂正発明１及び２についての特許を取り消すことはできない。
　また、他に本件訂正発明１及び２についての特許を取り消すべき理由を発見しない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。
【異議決定日】
平成１５年１月２９日（２００３．１．２９）
【訂正の要旨】
訂正事項
　本件訂正請求は、特許第３１８３７６８号に係る明細書を本件訂正請求書に添付の訂正明細書の通り、即ち、下記の訂正事項▲１▼乃至▲４▼に記載の通りの訂正を求めるものである。
▲１▼　特許第３１８３７６８号明細書の特許請求の範囲において、請求項１の３行目に「の前記土壌中」を挿入する。
▲２▼　同請求項１の３行目に「面状に拡がる」を挿入する。
▲３▼　同段落０００６の「課題の解決手段」の３行目に「の前記土壌中」を挿入する。
▲４▼　同段落０００６の「課題の解決手段」の４行目に「面状に拡がる」を挿入する。
（５４）【発明の名称】
汚水浄化装置
（５７）【特許請求の範囲】
　【請求項１】　周囲に礫状材を充填した汚水供給用多孔管をトレンチ上に配置し、このトレンチを通気性、保水性が良好で好気性菌の繁殖に適した土壌中に埋設し、前記トレンチの下方
の前記土壌中
面状に拡がる
　【請求項２】　前記通気層の上面を多孔性シートで被覆した請求項１に記載の汚水浄化装置。
【発明の詳細な説明】
　【０００１】
　【産業上の利用分野】
　この発明は、土壌による汚水浄化装置に関する。
　【０００２】
　【従来の技術】
　土壌内の微生物を利用して汚水処理を行なう方法及び装置は種々提案されている。
　【０００３】
　例えば特公昭５６−２３６７２号公報、特公昭６０−５５１９８号公報、特公平１−４４３９４号公報には、土壌中の地表面に近い位置に汚水供給用の多孔管を埋設し、この多孔管の周囲に毛管作用を有する礫状材を充填し、汚水を礫状材の周囲の土壌中に浸透させて、土壌内の微生物により汚水を浄化し、浄化された処理水は、土壌中に放散するか又は、前記多孔管の下方に設けた槽に回収している。
　【０００４】
　【発明の課題】
　しかしながら、浄化作用に有用な微生物のうち好気性菌は、地表面下１０ｃｍ前後で最も多く棲息し、それより深くなると急激に減少することが知られている。そのため、好気性菌による浄化作用は、上記のような従来の技術では限度があり、例えばＢＯＤの減少度では充分な目的が達成されていない。
　【０００５】
　そこで、この発明の課題は、通気性を向上させて好気性菌の繁殖を増進する土壌浄化装置を提供することである。
　【０００６】
　【課題の解決手段】
　上記の課題を解決するため、この発明においては、周囲に礫状材を充填した汚水供給用多孔管をトレンチ上に配置し、このトレンチを通気性、保水性が良好で好気性菌の繁殖に適した土壌中に埋設し、前記トレンチの下方
の前記土壌中
面状に拡がる
　【０００７】
　【作用】
　多孔管の周囲に充填された礫状材による毛管作用で汚水が土壌内に浸透して行く。
　【０００８】
　一方、土壌は通気性、保水性が良好であるため、好気性菌の繁殖に適しており、さらにトレンチの下方に外気に通じる通気層を設けることによって面状に拡がりを持たせることができるため、吸排気が広い範囲で良好に行なわれ、好気性菌は土壌の深部までよく繁殖し、浄化作用が高められ、分解後のガスも速やかに排出される。
　【０００９】
　【実施例】
　以下、この発明の実施例を添付図面に基づいて説明する。
　【００１０】
　図１及び図２に示すように、通気性及び保水性の良好な所謂団粒構造の土壌１中には、不透水材例えば合成樹脂板から成るトレンチ２が埋設されており、このトレンチ２上には、砕石のような礫状材３を周囲に充填した多孔管４が配置されている。なお、前記礫状材３の散逸を防止するため、ネット５などで被覆しておくのが好ましい。また、前記トレンチ２の断面形状は図示のコ字状に限らず、半円状やＶ字状などいずれでもよい。さらに、礫状材３の下部に毛管作用を有するそれよりも粒度の小さい濾材３ａを充填しておく。
　【００１１】
　前記多孔管４は、汚水を供給するためのものである。従ってトレンチ２内では、管４に多数の小孔が設けられているが、トレンチ２に導入するまでは汚水が漏れることがないよう水密構造になっている。
　【００１２】
　前記トレンチ２の下方の土壌１中には、軽石などの多孔質材を充填した通気層６が設けられ面状に拡がりを持たせることができるようになっている。この通気層６と外気とは、吸排気管７で連通されている。この通気層６間に細かい土砂等が混入して目づまりが生じるのを防止するため、適当な孔径を有する多孔性シート６ａで上面を被覆しておくのが好ましい。また、吸排気管７の下端に多孔管７ａを接続しておいてもよい。
　【００１３】
　前記土壌１の下面には、集水溝８が設けられている。この集水溝８は、コンクリート等の不透水性構造物より成り、その中央部に集水管９が配置されている。この集水管９の周囲には多数の貫通孔９ａが設けられている。また、集水溝８内には、比較的粒径の大きい砕石等の礫材８ａが充填されているが、空洞でもよい。その場合は、集水溝８の上面を強靱な多孔板で被うのがよい。
　【００１４】
　前記集水溝８は、汚水浄化装置の基盤を兼ねるものであるが、その断面形状は、図示のＶ字状に限らず、半円状やコ字状など、種々選択可能である。
　【００１５】
　また、集水溝８の両側面に不透水性の仕切壁１０、１０を設けておくのがよい。
　【００１６】
　いま、一次または二次処理された汚水を多孔管４から供給すると、一旦トレンチ２内に下降し、濾材３ａの毛管作用によってトレンチ２の周囲の土壌１中に浸透する。この汚水は、土壌１によって濾過、吸着されるが、汚水中の有機物は微生物によって分解処理される。このとき、土壌１の表面近辺だけでなく、比較的深部に至っても、通気層６が面状に拡がっているため、好気性菌がよく繁殖し分解処理が活発に行なわれる。分解後のガスも吸排気管７を通じて速かに排出される。
　【００１７】
　汚水はさらに下層の土壌１内でも分解処理され、ほぼ完全に有機物が除去された処理水は集水溝８によって集水される。この処理水を集水管９から例えば図２のような集水槽１１に貯溜し、ポンプ１２によって汲上げると再利用が可能である。
　【００１８】
　なお、土壌１の表層で植物１３を成育させるとさらに良好な処理効果が得られる。
　【００１９】
　【効果】
　この発明によれば、以上のように、汚水供給用多孔管を配置したトレンチの下方に通気層を設け、面状に拡がりを持たせることができるようにし、この通気層を外気と連通させたので、土壌の通気性が良好となり、好気性菌が土壌の深部までよく繁殖するため浄化力が向上し、装置全体をコンパクトにすることができる。
【図面の簡単な説明】
　【図１】
この発明の汚水浄化装置を示す横断面図
　【図２】
同上の一部横断斜視図
　【符号の説明】
　１　土壌
　２　トレンチ
　３　礫状材
　４　多孔管
　５　ネット
　６　通気層
　６ａ　多孔性シート
　７　吸排気管
　８　集水溝
　９　集水管
　９ａ　貫通孔
　１０　仕切壁
　１１　集水槽
　１２　ポンプ
　１３　植物